(57)【特許請求の範囲】
【請求項１】
用紙に対して画像形成処理を行うための処理ユニットと、
上記処理ユニットに高電圧を供給するための高電圧基板と、
上記処理ユニットと上記高電圧基板との間に配置された区画壁の貫通孔を貫通して上記処理ユニットと上記高電圧基板とを電気的に接続する、構成材料をバネ鋼とする電線部材と、
上記電線部材が貫通すると共に上記処理ユニットと上記高電圧基板との間に配置される区画壁を含む電線保持フレームと、を備え、
上記区画壁における上記高電圧基板側の面には、円筒の周方向の一部を欠損させた形状を有し上記電線部材を保持するためのホルダー部、及び、上記電線部材の形状に対応して屈曲しているガイド壁が設けられ、
上記区画壁における上記処理ユニット側の面には、該処理ユニット側に突出するボス部が設けられており、
上記電線部材は、
上記区画壁よりも上記処理ユニット側に位置するユニット側屈曲部と、
上記区画壁よりも上記高電圧基板側に位置する基板側屈曲部と、
上記貫通孔を貫通し上記基板側屈曲部と上記ユニット側屈曲部とを接続する貫通直線部と、
上記ユニット側屈曲部の２つの端部のうち上記貫通直線部に接続されていない方の端部に接続されたユニット側接続部と、
上記基板側屈曲部の上記高電圧基板側に接続され、少なくとも１つの直線部からなる基板側直線部と、
上記基板側直線部の上記高電圧基板側に接続されて上記ホルダー部に挿入されたコイル状の基板側接続部と、
を有し、
上記ユニット側接続部は、上記ボス部にて位置決めされ、
上記ユニット側屈曲部、上記基板側屈曲部、上記貫通直線部、及び上記基板側直線部の１つの直線部は、上記貫通孔に対する上記貫通直線部の挿入方向に沿った同一平面内に位置しており、
上記ユニット側屈曲部及び上記基板側屈曲部はそれぞれ、上記同一平面内において屈曲可能に構成されている、画像形成装置。
【発明の詳細な説明】
【技術分野】
【０００１】
本発明は、画像形成装置に関する。
【背景技術】
【０００２】
一般に、電子写真方式を利用した画像形成装置は、用紙に対して画像形成処理を行うた
めの複数の処理ユニットを有している。この処理ユニットとして、例えばトナー像が形成
される感光体ドラムユニットや、感光体ドラムにトナーを供給して感光体ドラム上にトナ
ー像を形成する現像ユニット等が挙げられる。そして、画像形成装置は、これらの処理ユ
ニットに対して高電圧を供給するための高電圧基板を有している。処理ユニットと高電圧
基板との間には区画壁が配置されている。処理ユニットと高電圧基板とは、この区画壁を
貫通する金属製の線材からなる電線部材により互いに接続されている。
【０００３】
上記電線部材のレイアウトは様々であり、例えば特許文献１に示す電線部材は、高電圧
基板の接続端子部から画像形成装置内に向かってストレートに延び、その後、区画壁に形
成された貫通孔を通って処理ユニットに接続されている。
【０００４】
しかし、近年、画像形成装置の小型化に伴い、画像形成装置内のスペースが狭小化する
中、電線部材をストレートに配置できない場合が生じている。例えば、特許文献２に示す
電線部材は、板金フレームよりも処理ユニット側において水平方向から鉛直方向に屈曲し
ている。この場合、電線部材を板金フレームの貫通孔に対しストレートに挿入することが
できないので、電線部材の組付け性が悪いという問題がある。この問題を解決するべく、
上記特許文献２には、電線部材を、板金フレームよりも内側のユニット側線材と板金フレ
ームより外側の基板側線材とに分けて、ユニット側線材と基板側線材とを別々に組付ける
構成が開示されている。
【先行技術文献】
【特許文献】
【０００５】
【特許文献１】特開２００６−１４５７７３号公報
【特許文献２】特開２０１２−１８３９４号公報
【発明の概要】
【発明が解決しようとする課題】
【０００６】
しかしながら、上記特許文献２に示す構成では、電線部材をユニット側線材と基板側線
材とに分ける必要があるので、部品点数の増加を招き、延いては、組付け工数の増加及び
コスト増加を招くという問題がある。
【０００７】
本発明は、かかる点に鑑みてなされたものであり、その目的とするところは、処理ユニ
ットと高電圧基板とを接続する電線部材の構成に工夫を凝らすことで、コスト増加を招く
ことなく、電線部材を狭いスペース内に効率的に配置し且つその組付け作業を容易化する
ことにある。
【課題を解決するための手段】
【０００８】
本発明に係る電線部材は、用紙に対して画像形成処理を行うための処理ユニットと、上記処理ユニットに高電圧を供給するための高電圧基板と、上記処理ユニットと上記高電圧基板との間に配置された区画壁の貫通孔を貫通して上記処理ユニットと上記高電圧基板とを電気的に接続する、構成材料をバネ鋼とする電線部材と、上記電線部材が貫通すると共に上記処理ユニットと上記高電圧基板との間に配置される区画壁を含む電線保持フレームと、を備え、上記区画壁における上記高電圧基板側の面には、円筒の周方向の一部を欠損させた形状を有し上記電線部材を保持するためのホルダー部、及び、上記電線部材の形状に対応して屈曲しているガイド壁が設けられ、上記区画壁における上記処理ユニット側の面には、該処理ユニット側に突出するボス部が設けられており、上記電線部材は、上記区画壁よりも上記処理ユニット側に位置するユニット側屈曲部と、上記区画壁よりも上記高電圧基板側に位置する基板側屈曲部と、上記貫通孔を貫通し上記基板側屈曲部と上記ユニット側屈曲部とを接続する貫通直線部と、記ユニット側屈曲部の２つの端部のうち上記貫通直線部に接続されていない方の端部に接続されたユニット側接続部と、上記基板側屈曲部の上記高電圧基板側に接続され、少なくとも１つの直線部からなる基板側直線部と、上記基板側直線部の上記高電圧基板側に接続されて上記ホルダー部に挿入されたコイル状の基板側接続部と、を有し、上記ユニット側接続部は、上記ボス部にて位置決めされ、上記ユニット側屈曲部、上記基板側屈曲部、上記貫通直線部、及び上記基板側直線部の１つの直線部は、上記貫通孔に対する上記貫通直線部の挿入方向に沿った同一平面内に位置しており、上記ユニット側屈曲部及び上記基板側屈曲部はそれぞれ、上記同一平面内において屈曲可能に構成されている。
【０００９】
この構成によれば、電線部材をユニット側屈曲部及び基板側屈曲部にて屈曲させるよう
にしたことで、電線部材を処理ユニットや高電圧基板の周辺機器と干渉することなく狭い
スペースに効率的に配置することができる。また、作業者は、電線部材を弾性変形させることでその組付け作業を容易に行うことができる。また、電線部材を複数に分割した場合に比べて、部品点数や組付け工数を低減して低コスト化を図ることができる。
【発明の効果】
【００１０】
本発明によれば、コスト増加を招くことなく、電線部材を狭いスペース内に効率的に配
置し且つその組付け作業を容易化することができる。
【図面の簡単な説明】
【００１１】
【図１】図１は、実施形態における電線部材を備えた画像形成装置を示す概略の縦断面図である。
【図２】図２は、画像形成装置の後方フレーム部を示す斜視図である。
【図３】図３は、電線部材（線材）を保持した電線保持フレームの一部を拡大して示す拡大斜視図である。
【図４】図４は、図３のＩＶ−ＩＶ線断面図である。
【図５】図５は、実施形態における電線部材を示す斜視図である。
【発明を実施するための形態】
【００１２】
以下、この発明の実施形態について図面に基づいて説明する。尚、以下の好ましい実施
形態の説明は、本質的に例示に過ぎず、本発明、その適用物或いはその用途を制限するこ
とを意図するものではない。
【００１３】
《実施形態》
図１は、本実施形態における電線部材６０を備えた画像形成装置１の概略構成図を示す
。この画像形成装置１は、タンデム方式のカラープリンターであって、箱形のケーシング
２内に画像形成部３を備えている。この画像形成部３は、ネットワーク接続等がされたコ
ンピューター等の外部機器から伝送されてくる画像データーに基づき画像を記録紙Ｐに転
写形成する部署である。画像形成部３の下方には、レーザー光を照射する露光装置４が配
置され、画像形成部３の上方には、転写ベルト５が配置されている。露光装置４の下方に
は、記録紙Ｐを貯留する用紙貯留部６が配置され、用紙貯留部６の側方には、手差し給紙
部７が配置されている。転写ベルト５の側方上部には、記録紙Ｐに転写形成された画像に
定着処理を施す定着部８が配置されている。９は、ケーシング２上部に配置され、定着部
８で定着処理が施された記録紙Ｐを排出する用紙排出部である。
【００１４】
画像形成部３は、転写ベルト５に沿って一列に配置された４つの感光体ドラムユニット
１０を備えている。各感光体ドラムユニット１０は、感光体ドラム１１を有している。各
感光体ドラム１１の直下には、帯電器１２が配置され、各感光体ドラム１１の一側方には
、現像ユニット１３が配置され、各感光体ドラム１１の直上には、１次転写ローラー１４
が配置され、各感光体ドラム１１の他側方には、感光体ドラム１１の周面をクリーニング
するクリーニングユニット（以下、クリーニング装置という）１５が配置されている。
【００１５】
そして、各感光体ドラム１１は、帯電器１２によって周面が一様に帯電され、当該帯電
後の感光体ドラム１１の周面に対して、上記コンピューター等から入力された画像データ
ーに基づく各色に対応したレーザー光が露光装置４から照射され、各感光体ドラム１１の
周面に静電潜像が形成される。かかる静電潜像に現像ユニット１３から現像剤が供給され
て、各感光体ドラム１１の周面にイエロー、マゼンタ、シアン、又はブラックのトナー像
が形成される。これらトナー像は、１次転写ローラー１４に印加された転写バイアスによ
り転写ベルト５にそれぞれ重ねて転写される。
【００１６】
１６は、定着部８の下方に転写ベルト５と当接した状態で配置された２次転写ローラー
であり、用紙貯留部６又は手差し給紙部７から用紙搬送路１７を搬送される記録紙Ｐを２
次転写ローラー１６と転写ベルト５とで挟持し、２次転写ローラー１６に印加された転写
バイアスにより転写ベルト５上のトナー像を記録紙Ｐに転写するようにしている。
【００１７】
定着部８は、加熱ローラー１８と加圧ローラー１９とを備え、これら加熱ローラー１８
と加圧ローラー１９とにより記録紙Ｐを挟持して加熱加圧し、記録紙Ｐに転写されたトナ
ー像を記録紙Ｐに定着させるようにしている。定着処理後の記録紙Ｐは、用紙排出部９に
排出される。２０は、両面印刷時に定着部８から排出された記録紙Ｐを反転させるための
反転搬送路である。
【００１８】
図２は、画像形成装置１を後方から見た斜視図である。画像形成装置１の後側は、通常
、板金カバーにより覆われているが、図２ではこの板金カバーを取り外した状態を示して
いる。図中の符号３０は、ケーシング２の後部の上方に取付けられた板金フレームである
。板金フレーム３０の下端部には、樹脂性の電線保持フレーム３１が取付けられており、
この電線保持フレーム３１の後側に高電圧基板５０が装着されている。この高電圧基板５
０は、用紙に対して画像形成処理を行うための各種の処理ユニット１００に対し高電圧を
供給するための基板である。高電圧基板５０は、高圧半導体素子やトランスなどの電力供
給用の各種素子が実装される実装面を有している。高電圧基板５０は、この実装面が電線
保持フレーム３１のベース板３２に向き合うように配置されている。
【００１９】
電線保持フレーム３１は、上述の各種処理ユニット１００と上記高電圧基板５０とを電
気的に接続する複数（本実施形態では３つ）の電線部材６０を保持している。各電線部材
６０は、金属製の線材を塑性変形させて形成されている。上記処理ユニット１００として
、感光体ドラムユニット１０や現像ユニット１３や中間転写ユニット等が挙げられる。
【００２０】
上記電線保持フレーム３１はベース板３２を有している。ベース板３２は、４つの感光
体ドラムユニット１０の後側を覆うように配置されている。そして、ベース板３２が、処
理ユニット１００と高電圧基板５０との間に配置された区画板を構成している。ベース板
３２は、上側鉛直板部３２ａと下側鉛直板部３２ｂと、両鉛直板部３２ａ，３２ｂを連結
する水平板部３２ｃとを有している（図４参照）。ベース板３２における高電圧基板５０
側の面には、４つの感光体ドラムユニット１０に対応して合計で４つの線材保持領域３３
（図２参照）が設けられている。各線材保持領域３３には、感光体ドラムユニット１０は
勿論のこと、現像ユニット１３や中間転写ユニットなどの各種処理ユニット１００に接続
される複数の電線部材６０が保持されている。尚、各線材保持領域３３の構成は同じであ
るため、以下では画像形成装置１の最も右側に位置する線材保持領域３３についてのみ説
明する。
【００２１】
図３に示すように、線材保持領域３３には、複数のガイド壁３５が立設されている。ガ
イド壁３５は、処理ユニット１００に接続される電線部材６０をガイドしている。この電
線部材６０は、ガイド壁３５に沿って配置されている。ガイド壁３５は電線部材６０の形
状に対応して屈曲している。ベース板３２における各ガイド壁３５の上端部よりもやや上
側の部分にはそれぞれ貫通孔３６が形成されている。電線部材６０は該貫通孔３６を貫通
している。ベース板３２の線材保持領域３３におけるガイド壁３５の下端部よりもやや
下側の部分には、ホルダー部４０及びボス部４１（図４参照）が突設されている。ホルダ
ー部４０は円筒の周方向の一部を欠損させた形状を有している。ボス部４１は、ホルダー
部４０と同軸の円柱状に形成されている。このボス部４１には、電線部材６０の入力側接
続部６１が外挿されて支持されている。ホルダー部４０は、ボス部４１に外挿された入力
側接続部６１の外周を囲うように形成されている。
【００２２】
図４に示すように、ベース板３２における処理ユニット１００側の面には円柱状のボス
部４２が突設されている。ボス部４２は、貫通孔３６よりも下側に形成されている。ボス
部４２には、電線部材６０の出力側接続部６２が外挿されて支持されている。
【００２３】
上記電線部材６０はそれぞれ、バネ鋼からなる１本の線材により構成されている。各電
線部材６０は、他の部品との干渉を回避するために所定箇所で屈曲している。各電線部材
６０は、その屈曲角度等が多少異なるだけで基本的な構成は同じである。このため、以下
では、図３の最も左側に位置する電線部材６０についてのみ説明を行う。
【００２４】
図５に示すように、上記電線部材６０は、入力側接続部６１と、出力側接続部６２と、
該入力側接続部６１及び出力側接続部６２同士を連結する連結線部６３とを有している。
上記電線部材６０の入力側接続部６１及び出力側接続部６２は、複数巻きのコイル状（螺
旋條ともいう）に形成されている。入力側接続部６１は、高電圧基板５０を電線保持フレ
ーム３１に装着した状態で、該高電圧基板５０と電線保持フレーム３１のベース板３２と
の間に挟まれて圧縮変形する。これにより、入力側接続部６１と高電圧基板５０との接触
圧を十分に確保することができる。出力側接続部６２は、高電圧基板５０を電線保持フレ
ーム３１に装着した状態で、該高電圧基板５０と処理ユニット１００の接続端子部との間
に挟まれて圧縮変形する。これにより、出力側接続部６２と処理ユニット１００の接続端
子との接触圧を十分に確保することができる。
【００２５】
上記連結線部６３は、第１〜第５直線部６５ａ〜６５ｅと、これらの５つの直線部６５
ａ〜６５ｅの境界部に位置する第１〜第４屈曲部６４ａ〜６４ｄと、を有している。連結
部６３は、出力側接続部６２の一端からその接線方向に沿って上側に延びた後、第１屈曲
部６４ａにて略直角に屈曲して処理ユニット１００側から高電圧基板５０側に向かって水
平に延び、次いで、第２屈曲部６４ｂにて略直角に屈曲して下側に延びた後、第３屈曲部
６４ｃにて屈曲して斜め下側に延び、最後に、第４屈曲部６４ｄで下側に屈曲して入力側
接続部６１にその接線方向から接続されている。第１直線部６５ａと第１屈曲部６４ａと
は、ベース板３２よりも処理ユニット１００側に位置している（図４参照）。第２直線部
６５ｂは、ベース板３２の貫通孔３６を貫通している。第３〜第５直線部６５ｃ〜６５ｅ
及び第２〜第４屈曲部６４ｂ〜６４ｄは、ベース板３２により高電圧基板５０側に位置し
ている。そして、貫通孔３６を貫通する第２直線部６５ｂの高電圧基板５０の端部に接続
された第２屈曲部６４ｂは、一巻きのコイル形状を有するコイル型屈曲部とされている。
【００２６】
上記電線部材６０を画像形成装置１に組付ける際には、先ず、電線部材６０の出力側接
続部６２をベース板３２の貫通孔３６からベース板３２よりも処理ユニット１００側に挿
入する。そして、コイル型屈曲部である第２屈曲部６４ｂに屈曲解除側（図４の矢印の側
）の力を加えながら出力側接続部６２を先端側が高くなるように傾斜させる。そして、出
力側接続部６２の基端部の位置をボス部４２の先端部の位置に合わせる。そうして、この
位置合わせが終了した後、第２屈曲部６４ｂへの力を徐々に弱めて行くことで、電線部材
６０の弾性変形が解除されて出力側接続部６２の軸心が水平に近づく。これに伴い。出力
側接続部６２がボス部４２に外挿される。そうして、出力側接続部６２をボス部４２に外
挿した後、連結線部６３全体をガイド壁３５に沿うように配置し、最後に、入力側接続部６
１をボス部４１に外挿することで、電線部材６０の組付け作業が終了する。
【００２７】
以上説明したように、上記実施形態では、ベース板３２よりも処理ユニット１００側に
位置する第１屈曲部６４ａ（ユニット側屈曲部に相当）と、ベース板３２よりも高電圧基
板５０側に位置する第２〜第４屈曲部６４ｂ〜６４ｄ（基板側屈曲部に相当）とを有して
いる。
【００２８】
この構成によれば、電線部材６０を処理ユニット１００や高電圧基板５０の周辺機器と
干渉することなく狭いスペースに効率的に配置することができる。
【００２９】
また、上記実施形態では、基板側屈曲部である第２〜第４屈曲部６４ｂ〜６４ｄのうち
第２屈曲部６４ｂが一巻きのコイル形状を有するコイル型屈曲部とされている。
【００３０】
したがって、電線部材６０の組付け作業の際、このコイル型屈曲部を支点として電線部
材６０を屈曲させたり引き延ばしたりして弾性変形させることができる。したがって、作
業者は、電線部材６０を弾性変形させつつその組付け作業を容易に行うことができる。ま
た、電線部材６０を複数に分割した場合に比べて、部品点数や組付け工数を低減して低コ
スト化を図ることができる。
【００３１】
上記実施形態では、コイル型屈曲部である第２屈曲部６４ｂは、貫通孔３６を貫通する
第２直線部６５ｂの高電圧基板５０の端部に接続されている。
【００３２】
この構成によれば、コイル型屈曲部を貫通孔３６に極力近づけることができる。よって
、電線部材６０を貫通孔３６に挿入しながら貫通孔３６の近傍で弾性変形させることがで
きる。よって、電線部材６０の組付け作業をより一層容易化することができる。
【００３３】
また、上記実施形態では、ベース板３２における処理ユニット１００側の面には、処理
ユニット１００側に突出するボス部４２が形成されており、電線部材６０の出力側接続部
６２（処理ユニット１００側の端部）は、複数巻きのコイル状に形成されていて、ボス部
４２に外挿されることで位置決めされるようになっている。
【００３４】
この構成によれば、電線部材６０の組付け作業の際、出力側接続部６２をボス部４２に
外挿する作業が必要になる。このため、コイル型屈曲部を有さない従来の電線部材６０で
は組付け性が悪いという問題がある。これに対して、上記実施形態では、上述したように
第２屈曲部６４ｂをコイル型屈曲部としたことで、この第２屈曲部６４ｂを支点に電線
部材６０を弾性変形させることで、電線部材６０の出力側接続部６２をボス部４２に容易
に外挿することができる。
【００３５】
また、上記実施形態では、電線部材６０はバネ鋼により構成されている。この構成によ
れば、電線部材６０の可撓性（弾性）を可及的に高めることができる。よって、電線部材
６０の組付け作業をより一層容易化することができる。
【００３６】
《他の実施形態》
上記実施形態では、基板側屈曲部である第２〜第４屈曲部６４ｂ〜６４ｄのうち第２屈
曲部６４ｂのみをコイル型屈曲部としているが、これに限ったものではなく、例えばこれ
ら第２〜第４屈曲部６４ｂ〜６４ｄの全てをコイル型屈曲部で構成してもよいし、さらに
ユニット側屈曲部である第１屈曲部６４ａをコイル型屈曲部で構成するようにしてもよい
。
【００３７】
上記実施形態では、コイル型屈曲部（上記実施形態では第２屈曲部６４ｂ）の巻数は一
巻きとされているが、これに限ったものではなく、二巻き以上であってもよい。
【産業上の利用可能性】
【００３８】
以上説明したように、本発明は、電線部材を備えた画像形成装置について有用である。
【符号の説明】
【００３９】
１     画像形成装置
１０   感光体ドラムユニット（処理ユニット）
１３   現像ユニット（処理ユニット）
３１   電線保持フレーム
３２   ベース板（区画壁）
３５   ガイド壁
３６   貫通孔
４０   ホルダー部
４２   ボス部
５０   高電圧基板
６０   電線部材
６１   入力側接続部（ユニット側接続部）
６２   出力側接続部（基板側接続部）
６４ａ 第１屈曲部（ユニット側屈曲部）
６４ｂ 第２屈曲部（基板側屈曲部）
６５ｂ 第２直線部（貫通直線部）
６５ｃ 第３直線部（直線部、基板側直線部）
６５ｄ 第４直線部（直線部、基板側直線部）
６５ｅ 第５直線部（直線部、基板側直線部）
１００ 処理ユニット
【図１】
0006278225.tif 000002
【図２】
0006278225.tif 000003
【図３】
0006278225.tif 000004
【図４】
0006278225.tif 000005
【図５】
0006278225.tif 000006